(57)【要約】【課題】  通信端末でコンテンツを受信して格納することを阻害する要因が発生した場合であっても、そのコンテンツの格納を継続できるコンテンツ格納支援システムを提供すること。【解決手段】  このコンテンツ格納支援システム１では、メモリ残容量監視部１１０はコンテンツメモリ部１２０におけるメモリの残容量を、電池残容量監視部１３０は電池の残容量を、受信品質監視部１４０は受信品質を、それぞれ監視する。監視の結果、メモリの残容量、電池の残容量、及び受信品質のいずれか少なくともひとつからでもコンテンツの格納が完了しない旨を判断すると、通信端末１０で受信していたコンテンツをサーバ装置２０の支援メモリ部２１０に格納する。そして、支援メモリ部２１０におけるコンテンツの格納が完了すると、サーバ装置２０がコンテンツの格納場所を示すＵＲＬの情報を通信端末１０に送信する。【選択図】  図１
2005151244.tif 000002
【特許請求の範囲】
【請求項１】
移動体通信網を介しての情報の送信と放送網を介してのコンテンツの受信とが可能な通信端末が、前記コンテンツを受信して格納する際に当該コンテンツの格納の支援を行うコンテンツ格納支援システムであって、
前記コンテンツを格納する情報格納手段の残容量を監視し、当該監視の結果を格納残容量情報として生成する第１監視手段と、
前記通信端末を駆動する電池の残容量を監視し、当該監視の結果を駆動余力情報として生成する第２監視手段と、
前記通信端末が前記放送網を介して前記コンテンツを受信する際の受信品質を監視し、当該監視の結果を受信品質情報として生成する第３監視手段と、
前記格納残容量情報、前記駆動余力情報、及び前記受信品質情報の少なくとも１つの情報に基づいて、前記コンテンツの格納が完了するか否かを判断する完了判断手段と、
当該判断の結果が前記コンテンツの格納が完了しない旨のものである場合に、前記コンテンツを格納する要求を含む格納指示情報を前記移動体通信網を介して送信する指示送信手段と、
を備えるコンテンツ格納支援システム。
【請求項２】
前記移動体通信網を介して送信される格納指示情報を受信する指示受信手段と、
当該受信した格納指示情報に基づいて前記コンテンツを格納する支援格納手段と、
を備える、請求項１に記載のコンテンツ格納支援システム。
【請求項３】
前記支援格納手段による前記コンテンツの格納の開始に応じて、前記コンテンツの格納を開始した旨を通知するための格納開始通知を前記通信端末に送信する格納開始通知手段と、
当該送信された格納開始通知に基づいて、前記通信端末における前記コンテンツの受信を終了するように制御する受信制御手段と、
を備える、請求項２に記載のコンテンツ格納支援システム。
【請求項４】
前記支援格納手段による前記コンテンツの格納の完了に応じて、前記コンテンツの格納を完了した旨と前記コンテンツの前記移動体通信網上での格納場所を識別するための格納場所識別情報とを通知するための格納完了通知を前記通信端末に送信する格納完了通知手段を備える、請求項２又は３に記載のコンテンツ格納支援システム。
【請求項５】
前記受信品質情報は、前記放送網を介して送信される放送波の電界強度及び前記放送網を介して送信されるデータの誤りを示す誤り情報の少なくともいずれかを含む、請求項１から４のいずれか１項に記載のコンテンツ格納支援システム。
【発明の詳細な説明】
【技術分野】
【０００１】
本発明は、移動体通信網を介しての情報の送信と放送網を介してのコンテンツの受信とが可能な通信端末が、コンテンツを受信して格納する際に当該コンテンツの格納の支援を行うコンテンツ格納支援システムに関するものである。
【背景技術】
【０００２】
従来、通信端末でコンテンツを受信して利用するサービスが実用化されている。また、通信端末ではこの受信したコンテンツをＩＣメモリに格納することができるようになっている。ところが、ＩＣメモリの容量はコンテンツの容量に比較して小さい場合があり、受信したコンテンツの全てを格納することができない場合がある。この、通信端末のＩＣメモリの残容量不足に対応するため、ＩＣメモリの残容量に応じてコンテンツの格納先をＩＣメモリからハードディスクに切りかえる技術が提案されている（例えば、下記特許文献１参照。）。
【特許文献１】特開２００３−９０４９号公報
【発明の開示】
【発明が解決しようとする課題】
【０００３】
上述の技術によれば、通信端末のＩＣメモリの残容量が不足してコンテンツの格納が継続できなくなるような場合であっても、通信端末のハードディスクにコンテンツを格納することが可能となる。しかしながら、通信端末でコンテンツを受信して格納することを阻害する要因は、通信端末のＩＣメモリの残容量不足だけではなく、他の要因も想定できる。したがって、上述の技術では、通信端末でコンテンツを受信して格納することを阻害する他の要因を排除できるものではない。
【０００４】
そこで本発明では、通信端末でコンテンツを受信して格納することを阻害する要因が発生した場合であっても、そのコンテンツの格納を継続できるコンテンツ格納支援システムを提供することを目的とする。
【課題を解決するための手段】
【０００５】
本発明のコンテンツ格納支援システムは、移動体通信網を介しての情報の送信と放送網を介してのコンテンツの受信とが可能な通信端末が、コンテンツを受信して格納する際に当該コンテンツの格納の支援を行うコンテンツ格納支援システムであって、（１）コンテンツを格納する情報格納手段の残容量を監視し、当該監視の結果を格納残容量情報として生成する第１監視手段と、（２）通信端末を駆動する電池の残容量を監視し、当該監視の結果を駆動余力情報として生成する第２監視手段と、（３）通信端末が放送網を介してコンテンツを受信する際の受信品質を監視し、当該監視の結果を受信品質情報として生成する第３監視手段と、（４）格納残容量情報、駆動余力情報、及び受信品質情報の少なくとも１つの情報に基づいて、コンテンツの格納が完了するか否かを判断する完了判断手段と、（５）当該判断の結果がコンテンツの格納が完了しない旨のものである場合に、コンテンツを格納する要求を含む格納指示情報を移動体通信網を介して送信する指示送信手段と、を備える。
【０００６】
情報格納手段の残容量、電池の残容量、及び受信品質を監視し、かかる監視の結果をそれぞれ格納残容量情報、駆動余力情報、及び受信品質情報として生成するので、コンテンツを受信して格納する際の阻害要因を特定する情報を生成できる。これらの情報のうち少なくとも１つの情報に基づいてコンテンツの格納が完了するか否かを判断するので、阻害要因に起因してコンテンツの格納が完了しないことを予測することができる。コンテンツの格納が完了しないと判断する場合には格納指示情報を移動体通信網を介して送信するので、コンテンツを格納する要求をより確実に通知することができる。
【０００７】
また、本発明のコンテンツ格納支援システムは、移動体通信網を介して送信される格納指示情報を受信する指示受信手段と、当該受信した格納指示情報に基づいてコンテンツを格納する支援格納手段と、を備えることも好ましい。支援格納手段は受信した格納指示情報に基づいてコンテンツを格納するので、情報格納手段による格納が完了しないと判断されたコンテンツを格納することができる。
【０００８】
また、本発明のコンテンツ格納支援システムは、支援格納手段によるコンテンツの格納の開始に応じて、コンテンツの格納を開始した旨を通知するための格納開始通知を通信端末に送信する格納開始通知手段と、当該送信された格納開始通知に基づいて、通信端末におけるコンテンツの受信を終了するように制御する受信制御手段と、を備えることも好ましい。支援格納手段によるコンテンツの格納を開始した旨を通知するための格納開始通知を通信端末に送信し、送信された格納開始通知に基づいて、通信端末におけるコンテンツの受信を終了するように制御するので、重複したコンテンツの受信を排除できる。
【０００９】
また、本発明のコンテンツ格納支援システムは、支援格納手段によるコンテンツの格納の完了に応じて、コンテンツの格納を完了した旨とコンテンツの移動体通信網上での格納場所を識別するための格納場所識別情報とを通知するための格納完了通知を通信端末に送信する格納完了通知手段を備えることも好ましい。コンテンツの格納を完了した旨とコンテンツの移動体通信網上での格納場所とを通知する格納完了通知を通信端末に送信するので、通信端末は移動体通信網上でのコンテンツの格納場所を受信することができる。したがって、通信端末のユーザは、通信端末によるコンテンツの受信を終了した場合でも、移動体通信網上でのコンテンツの格納場所を参照することによって、コンテンツを利用することができる。
【００１０】
また、本発明のコンテンツ格納支援システムは、受信品質情報は、放送網を介して送信される放送波の電界強度及び放送網を介して送信されるデータの誤りを示す誤り情報の少なくともいずれかを含むことが好ましい。受信品質情報は放送波の電界強度及びデータの誤りを示す誤り情報の少なくともいずれかを含むので、通信端末の受信品質をより正確に把握することができる。
【発明の効果】
【００１１】
本発明によれば、通信端末でコンテンツを受信して格納することを阻害する要因が発生した場合であっても、そのコンテンツの格納を継続できる。
【発明を実施するための最良の形態】
【００１２】
本発明の知見は、例示のみのために示された添付図面を参照して以下の詳細な記述を考慮することによって容易に理解することができる。引き続いて、添付図面を参照しながら本発明を実施するための形態を説明する。可能な場合には、同一の部分には同一の符号を付して、重複する説明を省略する。
【００１３】
図１は、本発明の実施形態であるコンテンツ格納支援システムの構成図である。図１に示されるように、コンテンツ格納支援システム１において、通信端末１０及びサーバ装置２０は放送網４を介して放送局２からコンテンツの受信が可能なように接続されている。また、通信端末１０とサーバ装置２０とは、移動体通信網６を介して情報の送受信が可能なように接続されている。
【００１４】
まず、通信端末１０について説明する。通信端末１０は、ユーザが使用する携帯電話機であり、移動体通信網６を介しての音声通話のほかに放送網４又は移動体通信網６を介しての音楽、画像といった種々のコンテンツの受信が可能なように構成されている。通信端末１０は、物理的には、ＣＰＵ（中央処理装置）、メモリといった記憶装置、プッシュボタンといった入力装置、ディスプレイといった表示装置、通信装置、取り外しが可能な電池等を有している。
【００１５】
通信端末１０は機能的な構成要素として、コンテンツ受信部１００と、メモリ残容量監視部１１０（第１監視手段）と、コンテンツメモリ部１２０（情報格納手段）と、電池残容量監視部１３０（第２監視手段）と、受信品質監視部１４０（第３監視手段）と、完了判断部１５０（完了判断手段）と、指示送信部１６０（指示送信手段）と、受信制御部１７０(受信制御手段)と、を備えている。引き続いて各構成要素について説明する。
【００１６】
コンテンツ受信部１００は、放送局２によって配信されたコンテンツを放送網４を介して受信する部分である。コンテンツ受信部１００は受信したコンテンツをコンテンツメモリ部１２０に格納する。コンテンツ受信部１００は、コンテンツの受信を開始すると、コンテンツの受信開始の通知を、メモリ残容量監視部１１０、電池残容量監視部１３０、及び受信品質監視部１４０に出力する。また、コンテンツ受信部１００は、受信制御部１７０によって受信終了命令が出力されると、コンテンツの受信を終了する。そして、コンテンツ受信終了の通知をメモリ残容量監視部１１０、電池残容量監視部１３０、及び受信品質監視部１４０に出力する。
【００１７】
メモリ残容量監視部１１０は、コンテンツメモリ部１２０の残容量を監視する部分である。ここで、コンテンツメモリ部１２０は、放送局２から受信したコンテンツを格納する部分である。より具体的には、メモリ残容量監視部１１０は、コンテンツ受信部１００によってコンテンツの受信開始の通知が出力され、コンテンツの受信が行われると、コンテンツメモリ部１２０の空き容量値を逐次計測し、計測した空き容量値を含む格納残容量情報を生成する。そして、生成した格納残容量情報を完了判断部１５０に出力する。コンテンツ受信部１００によってコンテンツ受信終了の通知が出力されると、メモリ残容量監視部１１０は、メモリの空き容量値の計測及び格納残容量情報の生成を終了する。
【００１８】
電池残容量監視部１３０は、通信端末１０を駆動する電池（図示せず）の残容量を監視する部分である。より具体的には、電池残容量監視部１３０は、コンテンツ受信部１００によってコンテンツの受信開始の通知が出力されると、電池の残量値を計測を開始し、計測した電池の残量値を含む駆動余力情報を逐次生成する。そして、生成した駆動余力情報を完了判断部１５０に出力する。また、電池残容量監視部１３０は、コンテンツ受信部１００によってコンテンツ受信終了の通知が出力されると、電池の残量値の計測及び駆動余力情報の生成を終了する。
【００１９】
受信品質監視部１４０は、通信端末１０が放送網４を介して放送局２からコンテンツを受信する際の受信品質を監視する部分である。より具体的には、受信品質監視部１４０は、コンテンツ受信部１００によってコンテンツの受信開始の通知が出力されると、通信端末１０の受信品質を監視を開始する。より具体的には、受信品質監視部１４０は、コンテンツ受信部１００によってコンテンツの受信開始の通知が出力されると、基地局から受信される電波の強度（電界強度）、及び受信されるコンテンツのデータの誤りを示す誤り情報としてビットエラーレートの計測を開始し、電界強度及びビットエラーレートを含む受信品質情報を逐次生成する。そして、生成した受信品質情報を完了判断部１５０に出力する。また、受信品質監視部１４０は、コンテンツ受信部１００によってコンテンツ受信終了の通知が出力されると、電界強度及びビットエラーレートの計測と受信品質情報の生成とを終了する。なお、本実施形態では誤り情報としてビットエラーレートを用いるが、フレームエラーレートといった他の誤り情報を用いてもよい。
【００２０】
完了判断部１５０は、メモリ残容量監視部１１０によって生成される格納残容量情報、電池残容量監視部１３０によって生成される駆動余力情報、及び受信品質監視部１４０によって生成される受信品質情報のうち、少なくともひとつの情報に基づいて通信端末１０におけるコンテンツの格納が完了するか否かを判断する部分である。完了判断部１５０の動作について引き続いて説明する。
【００２１】
完了判断部１５０は、格納残容量情報に含まれるコンテンツメモリ部１２０の空き容量値を抽出する。そして、抽出した空き容量値を、所定の閾値と比較する。ここで、空き容量値と比較する所定の閾値は、コンテンツを格納するのに十分ではないとして予め設定される値である。抽出した空き容量値がかかる所定の値以下である場合には、完了判断部１５０は、コンテンツメモリ部１２０の空き容量がコンテンツを格納するのに不十分である、すなわち通信端末１０においてコンテンツの格納を正常に完了することはできないと判断する。抽出した空き容量値がかかる所定の値よりも大きい場合には、完了判断部１５０は、引き続きメモリ残容量監視部１１０によって生成される格納残容量情報から空き容量値を抽出し、所定の値と比較する。
【００２２】
また、完了判断部１５０は、電池残容量監視部１３０に含まれる電池の残量値を抽出し、これと所定の閾値とを比較する。ここで、電池の残量値と比較する所定の閾値は、コンテンツを受信して格納完了するまで通信端末を駆動するのに十分でないとして予め設定される値である。抽出した電池の残量値がかかる所定の値以下である場合には、完了判断部１５０は、コンテンツの受信中に電池切れするおそれがあるとして、通信端末１０においてコンテンツの格納を正常に完了することはできないと判断する。抽出した電池の残量値がかかる所定の値よりも大きい場合には、完了判断部１５０は、順次入力される駆動余力情報からの電池の残量値の抽出と、所定の値との比較を繰り返す。
【００２３】
また、完了判断部１５０は、受信品質情報に含まれる電界強度及びビットエラーレートを抽出し、これと所定の閾値とを比較する。ここで、電界強度及びビットエラーレートと比較する所定の閾値としては、コンテンツを一定の受信品質で受信するのに十分でないとして予め設定される値である。抽出した電界強度及びビットエラーレートとかかる所定の値とを比較して、断続的に通信端末１０の受信品質に劣化が見られる場合には、完了判断部１５０は、通信端末１０ではコンテンツの受信が中断するおそれがあるとして、通信端末１０においてコンテンツの格納を正常に完了することはできないと判断する。通信端末１０の受信品質に劣化が見られない場合には、完了判断部１５０は、順次入力される受信品質情報に応じて、電界強度及びビットエラーレートと所定の値との比較を行う。
【００２４】
このようにして、完了判断部１５０は、コンテンツメモリ部１２０の空き容量値、電池の残量値、電界強度、及びビットエラーレートをそれぞれに応じた所定の閾値と比較し、いずれか少なくとも一つの比較の結果から通信端末１０においてコンテンツの格納を正常に完了することはできないと判断した場合には、コンテンツの格納が完了しない旨を示す完了不可通知を指示送信部１６０に出力する。なお、本実施形態では、完了判断部１５０がまとめてコンテンツの格納ができるかどうかを判断しているが、メモリ残容量監視部１１０、電池残容量監視部１３０、及び受信品質監視部１４０がその判断をして、その判断の結果を警告情報として出力するようにしてもよい。この場合、完了判断部１５０は、メモリ残容量監視部１１０、電池残容量監視部１３０、及び受信品質監視部１４０が出力する警告情報に基づいて完了不可通知を出力する。
【００２５】
指示送信部１６０は、完了判断部１５０によって完了不可通知が出力されると、格納指示情報を移動体通信網６を介してサーバ装置２０に送信する。ここで、格納指示情報は、コンテンツの格納を要求する情報であり、より具体的には。通信端末１０で受信されているコンテンツを特定するためのコンテンツ識別子と、通信端末１０を識別するための通信端末識別子とを含む。図２は、指示送信部１６０によって送信される格納指示情報の例を示す図である。図２に示す例によれば、格納指示情報は、通信端末識別子として「０９０１２３４５６７８」という電話番号と、コンテンツ識別子として「ＬＨＤ１２３４５」とを含む。
【００２６】
受信制御部１７０は、後述するサーバ装置２０によって送信される格納開始通知及び格納完了通知を受信する部分である。ここで、格納開始通知は、サーバ装置２０によるコンテンツの格納が開始した旨を通知するものであり、格納完了通知は、サーバ装置２０によるコンテンツの格納が完了した旨を通知するものである。受信制御部１７０は、格納開始通知を受信すると、コンテンツ受信部１００におけるコンテンツの受信を終了するように制御する。より具体的には、受信制御部１７０は、格納開始通知を受信すると、受信終了命令をコンテンツ受信部１００に出力する。一方、格納完了通知を受信すると、受信制御部１７０は、コンテンツの格納場所を識別するための格納場所識別情報であるＵＲＬを格納完了通知から抽出する。
【００２７】
引き続いて、サーバ装置２０について説明する。サーバ装置２０は、物理的には、ＣＰＵ（中央処理装置）、メモリといった記憶装置、ハードディスクといったデータ格納装置、通信装置などを備えるコンピュータである。また、サーバ装置２０は、機能的な構成要素として、指示受信部２００（指示受信手段）と、支援格納部２１０（支援格納手段）と、格納開始通知部２２０（格納開始通知手段）と、格納完了通知部２３０（格納完了通知手段）と、放送受信部２４０と、を備える。
【００２８】
指示受信部２００は、通信端末１０によって移動体通信網６を介して送信される格納指示情報を受信する部分である。指示受信部２００は、受信した格納指示情報を放送受信部２４０に出力する。
【００２９】
放送受信部２４０は、指示受信部２００から出力される格納指示情報に基づいてコンテンツを受信して支援格納部２１０に格納する部分である。より具体的には、放送受信部２４０は、格納指示情報に含まれるコンテンツ識別子に基づいて、放送局２から放送網４を介してコンテンツを受信する。そして、放送受信部２４０は、受信したコンテンツを支援格納部２１０に格納する。放送受信部２４０は、コンテンツの受信及び格納を開始した場合には、その旨をコンテンツの格納場所を特定する情報及び格納指示情報と共に格納開始通知部２２０に出力する。また、放送受信部２４０は、コンテンツの受信及び格納を終了した場合には、その旨をコンテンツの格納場所を特定する情報及び格納指示情報と共に格納完了通知部２３０に出力する。
【００３０】
格納開始通知部２２０は、コンテンツの格納を開始した旨が放送受信部２４０から出力されると、格納開始通知を移動体通信網６を介して通信端末１０に送信する。ここで、格納開始通知は、コンテンツの格納の開始を示す旨のほかに、支援格納部２１０におけるコンテンツの格納場所を示すＵＲＬを含んでいてもよい。図３は、格納開始通知部２２０によって送信される格納開始通知の例を示す図である。図３に示す例によれば、格納開始通知は、コンテンツの格納の開始を示す「コンテンツの格納を開始しました。」とのメッセージと、コンテンツの格納場所を示すＵＲＬ「ＨＴＴＰ：／／ｘｘｘ．ｃｏ．ｊｐ／ｓｅｒｖｅｒ−０１／０１２３／１２３４．３ｇｐ」とを含む。格納開始通知部２２０は、格納指示情報に含まれる通信端末識別子「０９０１２３４５６７８」で特定される通信端末１０に、かかる格納開始通知を移動体通信網６を介して送信する。なお、本実施形態において、コンテンツはＭＰＥＧ−４形式（拡張子「．３ｇｐ」）のファイルとして格納されるが、この他に、ＭＰＥＧ−１形式（拡張子「．ｍｐｇ」）やＡＳＦ形式（拡張子「．ａｓｆ」）のファイルとして格納されても良い。
【００３１】
格納完了通知部２３０は、コンテンツの格納を完了した旨が放送受信部２４０から出力されると、格納完了通知を送信する部分である。ここで、格納完了通知は、コンテンツの格納の完了を示す旨と、支援格納部２１０におけるコンテンツの格納場所を示すＵＲＬと、を含む。図４は、格納完了通知部２３０によって送信される格納完了通知の例を示す図である。図４に示す例によれば、格納完了通知は、コンテンツの格納の完了を示す「コンテンツの格納を完了しました。」とのメッセージと、コンテンツの格納場所を示すＵＲＬ「ＨＴＴＰ：／／ｘｘｘ．ｃｏ．ｊｐ／ｓｅｒｖｅｒ−０１／０１２３／１２３４．３ｇｐ」とを含む。格納完了通知部２３０は、格納指示情報に含まれる通信端末識別子「０９０１２３４５６７８」を有する通信端末１０に、移動体通信網６を介してかかる格納開始通知を送信する。
【００３２】
続いて、本実施形態のコンテンツ格納支援システム１の動作についてついて説明する。図５は、コンテンツ格納支援システム１における各部の処理を説明するための図である。まず、通信端末１０のコンテンツ受信部１００は、放送局２から放送網４を介してコンテンツを受信する（Ｓ１）。コンテンツを受信すると、コンテンツ受信部１００は、メモリ残容量監視部１１０、電池残容量監視部１３０、及び受信品質監視部１４０にコンテンツの受信開始の通知を出力する（Ｓ２）。
【００３３】
メモリ残容量監視部１１０は、コンテンツの受信開始の通知が入力されると、メモリの空き容量を監視し、メモリの空き容量値を含む格納残容量情報を生成して完了判断部１５０に出力する（Ｓ３）。電池残容量監視部１３０は、コンテンツの受信開始の通知が入力されると、電池の残容量を監視し、電池の残容量値を含む駆動余力情報を生成して完了判断部１５０に出力する（Ｓ４）。受信品質監視部１４０は、コンテンツの受信開始の通知が入力されると、受信品質を監視し、電波の強度及びビットエラーレートを含む受信品質情報を生成して完了判断部１５０に出力する（Ｓ５）。なお、メモリ残容量監視部１１０、電池残容量監視部１３０、及び受信品質監視部１４０における処理は、それぞれ並行して行われる。
【００３４】
完了判断部１５０は、格納残容量情報、駆動余力情報、及び受信品質情報に基づいてコンテンツの格納が完了するか否かを判断する（Ｓ６）。完了判断部１５０が３つの情報のうち少なくとも１つの情報に基づきコンテンツの格納が完了しないと判断すると、指示送信部１６０に完了不可通知を出力する（Ｓ７）。指示送信部１６０は、通信端末１０の識別子とコンテンツ識別子とを含む格納指示情報を移動体通信網６を介してサーバ装置２０に送信する（Ｓ８）。
【００３５】
サーバ装置２０の指示受信部２００は、移動体通信網６を介して格納指示情報を受信して放送受信部２４０に出力する。そして、放送受信部２４０は格納指示情報から抽出したコンテンツ識別子に基づいて、コンテンツを放送網４を介して放送局２から受信して支援格納部２１０に格納する（Ｓ９）。
【００３６】
放送受信部２４０は、受信したコンテンツの支援格納部２１０への格納を開始すると、コンテンツの格納を開始した旨を格納開始通知部２２０に出力する。格納開始通知部２２０は、コンテンツの格納を開始した旨を含む格納開始通知を移動体通信網６を介して通信端末１０に送信する（Ｓ１０）。
【００３７】
通信端末１０の受信制御部１７０は、格納開始通知を受信すると、受信終了命令をコンテンツ受信部１００に出力する（Ｓ１１）。受信終了命令に応じて、コンテンツ受信部１００はコンテンツの受信を終了する（Ｓ１２）。コンテンツ受信部１００は、コンテンツの受信を終了すると、コンテンツ受信終了の通知をメモリ残容量監視部１１０、電池残容量監視部１３０、及び受信品質監視部１４０に出力する。かかる出力に応じて、メモリ残容量監視部１１０、電池残容量監視部１３０、及び受信品質監視部１４０は、監視と情報の生成とをそれぞれ終了する。
【００３８】
放送受信部２４０は、受信したコンテンツの支援格納部２１０への格納を完了すると、コンテンツの格納を完了した旨を格納完了通知部２３０に出力する。格納完了通知部２３０は、コンテンツの格納の完了を通知する旨と支援格納部２１０におけるコンテンツの格納場所を示すＵＲＬとを含む格納完了通知を通信端末１０に送信する（Ｓ１４）。
【００３９】
通信端末１０の受信制御部１７０は、格納完了通知を受信すると、かかる格納完了通知からＵＲＬを抽出する。通信端末１０のユーザは、抽出したＵＲＬにアクセスすることにより、サーバ装置２０の支援メモリ部２１０に格納されたコンテンツ、すなわち通信端末１０で受信していたコンテンツを利用することができる。
【００４０】
このようにして、コンテンツを受信している通信端末１０は、通信端末１０のコンテンツメモリ部１２０におけるメモリの残容量、電池の残容量、及び受信品質を監視する。監視の結果、メモリの残容量、電池の残容量、及び受信品質のいずれか少なくともひとつからでもコンテンツの格納が完了しない旨を判断すると、通信端末１０で受信していたコンテンツをサーバ装置２０の支援メモリ部２１０に格納する。そして、支援格納部２１０におけるコンテンツの格納が完了すると、サーバ装置２０がコンテンツの格納場所を示すＵＲＬの情報を通信端末１０に送信する。したがって、通信端末１０でコンテンツを受信する際の受信中断の可能性を十分考慮し、受信が中断した場合でも通信端末１０でコンテンツを利用することができる。
【００４１】
なお、本実施形態にかかるコンテンツ格納支援システム１において、受信品質監視部１４０は、断続的に受信品質が劣化した場合に、通信端末１０においてコンテンツの格納を正常に完了することはできないと判断するとしたが、受信品質が所定の時間継続して劣化した場合にコンテンツの格納を正常に完了することはできないと判断する、としてもよい。
【図面の簡単な説明】
【００４２】
【図１】本発明にかかるコンテンツ格納支援システムを示す構成図である。
【図２】格納指示情報送信部によって送信される格納指示情報の例を示す図である
【図３】格納開始通知部によって送信される格納開始通知の例を示す図である。
【図４】格納完了通知部によって送信される格納完了通知の例を示す図である。
【図５】コンテンツ格納支援システムにおける処理を示す図である。
【符号の説明】
【００４３】
１・・・コンテンツ格納支援システム、２・・・放送局、４・・・放送網、６・・・移動体通信網、１０・・・通信端末、２０・・・サーバ装置、１００・・・コンテンツ受信部、１１０・・・メモリ残量監視部、１２０・・・コンテンツ格納部、１３０・・・電池残量監視部、１４０・・・受信品質監視部、１５０・・・完了判断部、１６０・・・指示送信部、１７０・・・受信制御部、２００・・・指示受信部、２１０・・・支援格納部、２２０・・・格納開始通知部、２３０・・・格納完了通知部、２４０・・・放送受信部。
【図１】
2005151244.tif 000003
【図２】
2005151244.tif 000004
【図３】
2005151244.tif 000005
【図４】
2005151244.tif 000006
【図５】
2005151244.tif 000007